(57)【要約】【課題】  中間階調を僅少にしか含まない画像データである場合、前記階調特性の補正処理が、時間の無駄となるという不具合を解消した画像形成装置および方法を示すものである。【解決手段】  濃トナーと淡トナーを用いる複写機において、濃淡混合画像部の階調特性を補正するために行うパッチ検の方式を、文字モードや写真モードなどの画像モードに応じて選択することで、中間階調が少ない文字モードでは生産性を高め、中間階調の多い写真モードでは階調特性を向上させる。【選択図】  図２
2006243346.tif 000002
【特許請求の範囲】
【請求項１】
各色相ごとの最大濃度の濃色トナーと、少なくとも１色の無色ではない最大濃度未満の淡色トナーを用いて画像を形成する画像形成手段と、
画像データの出力濃度特性をそれぞれ有する少なくとも１つの画像形成モードと、
前記画像形成モードを選択する画像形成モード選択手段と、
前記濃色トナーおよび前記淡色トナーのうち少なくとも２色の混合画像部の、階調の線形特性を補正する階調補正を行う少なくとも１つの階調補正手段と、
前記各画像形成モードにおいて、それぞれどの前記階調補正手段を有効化するかを選択する階調補正選択手段とを備え、
前記画像形成モード選択手段で選択された前記画像形成モードに応じて、前記階調補正選択手段で選択された前記階調補正手段で階調補正を行うこと特徴とする画像形成装置。
【請求項２】
請求項１において、前記階調補正を行うための前記階調補正手段として、
各色相ごとに、特定の階調領域において同一色相の前記濃色トナーと前記淡色トナーの混合画像形成を行い階調特性を計測して階調補正を行う階調補正手段と、
各色相ごとに、全階調領域において同一色相の前記濃色トナーと前記淡色トナーの混合画像形成を行い階調特性を計測して階調補正を行う階調補正手段とを有することを特徴とする画像形成装置。
【請求項３】
請求項１において、前記階調補正を行うための前記画像補正手段として、
各色トナーの画像形成を行う各感光体に固有の感度特性の補正テーブルをそれぞれ補正することで、前記混合画像の階調特性の補正処理を行う階調補正手段と、
同一色相に分類される各色トナーの混合比率を変更することで、前記混合画像の階調特性の補正処理を行う画像補正手段とを有することを特徴とする画像形成装置。
【請求項４】
請求項１における、前記階調補正選択手段において、画像形成時に前記階調補正手段の自動選択を行う選択項目を有し、前記各画像形成モードに対して、画像データに応じて前記階調補正手段を自動選択すること設定できることを特徴とする画像形成装置。
【請求項５】
請求項１において、前記階調補正選択手段を、
画像形成装置の有する操作部に表示することを特徴とする画像形成装置。
【請求項６】
請求項１において、前記階調補正選択手段を、
画像形成装置に有線もしくは無線で接続された該画像形成装置と情報を送受信する機能を有する装置に表示することを特徴とする画像形成装置。
【請求項７】
請求項１において、画像データが中間階調印刷を意図した画像形成モードである場合に、該画像形成装置の使用者に告知し、前記階調補正選択手段を表示し階調補正手段を選択できることを特徴とする画像形成装置。
【請求項８】
請求項１において、画像データが前記階調特性の補正を行うに適するデータである場合に、画像形成装置に有線もしくは無線で接続された該画像形成装置と情報を送受信する機能を有する装置の使用者に告知し、前記階調補正選択手段で階調補正手段を選択できることを特徴とする画像形成装置。
【請求項９】
請求項１において、前記階調補正選択手段による選択結果を、不揮発性記憶装置に保存することを特徴とする画像形成装置。
【請求項１０】
請求項１において、前記階調補正選択手段による選択結果を、有線もしくは無線接続された、該画像形成装置と情報を送受信する機能を有する装置が有する記憶装置に保存することを特徴とする画像形成装置。
【発明の詳細な説明】
【技術分野】
【０００１】
本発明は、同一色相の濃色、淡色トナーを混合して画像を形成する複写機等の画像形成装置に関するものである。
【背景技術】
【０００２】
従来、画像形成装置において同一色相に分類されるトナーとして、最大濃度の濃色トナーと、最大濃度未満の淡色トナーを用いることにより階調表現の優れた出力を実現する画像形成装置は提案されていた。
【０００３】
しかしながら、前記濃色トナーと前記淡色トナーを混合して画像を形成する画像形成装置の場合、各色トナー毎に濃度と出力階調特性が違うため、前記濃色トナーと前記淡色トナーが混合される画像データ領域において、画像データ対出力画像の階調特性が線形とならず歪曲するため、階調特性が劣化すると言う不具合が存在する。
【０００４】
前記不具合を改善するためには、前記濃色トナーと前記淡色トナーが混合されるが画像データ領域において、画像データ対出力画像の階調特性を補正することが必要である。
【０００５】
しかしながら、中間階調を僅少にしか含まない画像データである場合、前記濃色トナーと前記淡色トナーが混合されるが画像データ領域が少ないため、前記階調特性の補正処理が、時間の無駄となるという不具合が存在した。
【０００６】
又、従来例としては、例えば特許文献１と特許文献２をあげることが出来る。
【特許文献１】特開2001-290319号公報
【特許文献２】特開2004-93643号公報
【発明の開示】
【発明が解決しようとする課題】
【０００７】
そこで本発明は、かかる問題点に鑑みてなされたものであり、前述の中間階調を僅少にしか含まない画像データである場合、前記階調特性の補正処理が、時間の無駄となるという不具合を解消した画像形成装置および方法を示すものである。
【課題を解決するための手段】
【０００８】
請求項１の発明は、各色相ごとに最大濃度の濃色トナーと少なくとも１色以上の無色ではない最大濃度未満の淡色トナーを用いて画像を形成する画像形成手段と、画像データの出力濃度特性それぞれ有する少なくとも１つの画像形成モードと、前記画像形成モードを選択する画像形成モード選択手段と、前記濃色トナーおよび前記淡色トナーのうち少なくとも２色の混合画像部の、階調の線形特性を補正する階調補正を行う少なくとも１つ以上の階調補正手段と、前記各画像形成モードにおいて、それぞれどの前記階調補正手段を有効化するかを選択する階調補正選択手段とを備え、前記画像形成モード選択手段で選択された前記画像形成モードに応じて、前記階調補正選択手段で選択された前記階調補正手段で階調補正を行う特徴とする。
【０００９】
請求項２の発明は、請求項１において、前記階調補正を行うための前記階調補正手段として、各色相ごとに、特定の階調領域において同一色相の前記濃色トナーと前記淡色トナーの混合画像形成を行い階調特性を計測して階調補正を行う階調補正手段と、各色相ごとに、全階調領域において同一色相の前記濃色トナーと前記淡色トナーの混合画像形成を行い階調特性を計測して階調補正を行う階調補正手段を有することを特徴とする。
【００１０】
請求項３の発明は、請求項１において、前記階調補正を行うための前記画像補正手段として、各色トナーの画像形成を行う各感光体に固有の感度特性の補正テーブルをそれぞれ補正することで、前記混合画像の階調特性の補正処理を行う画像補正手段と、同一色相に分類される各色トナーの混合比率を変更することで、前記混合画像の階調特性の補正処理を行う画像補正手段を有することを特徴とする画像形成装置。
【００１１】
請求項４の発明は、請求項１における、前記階調補正選択手段において、画像形成時に前記階調補正手段の自動選択を行う選択項目を有し、前記各画像形成モードに対して、画像データに応じて前記階調補正手段を自動選択すること設定できることを特徴とする。
【００１２】
請求項５の発明は、請求項１において、前記階調補正選択手段を、画像形成装置の有する操作部に表示することを特徴とする。
【００１３】
請求項６の発明は、請求項１において、前記階調補正選択手段を、画像形成装置に有線もしくは無線で接続された該画像形成装置と情報を送受信する機能を有する装置に表示することを特徴とする。
【００１４】
請求項７の発明は、請求項１において、画像データが中間階調印刷を意図した画像形成モードである場合に、該画像形成装置の使用者に告知し、前記階調補正選択手段を表示し階調補正手段を選択できることを特徴とする。
【００１５】
請求項８の発明は、請求項１において、画像データが前記階調特性の補正を行うに適するデータである場合に、画像形成装置に有線もしくは無線で接続された該画像形成装置と情報を送受信する機能を有する装置の使用者に告知し、前記階調補正選択手段で階調補正手段を選択できることを特徴とする。
【００１６】
請求項９の発明は、請求項１において、前記階調補正選択手段による選択結果を、不揮発性記憶装置に保存することを特徴とする。
【００１７】
請求項１０の発明は、請求項１において、前記階調補正選択手段による選択結果を、有線もしくは無線接続された記憶装置に保存することを特徴とする。
【発明の効果】
【００１８】
以上説明したように、本発明によれば、この種の画像形成装置において、操作部の設定画面によって濃淡トナーの混合画像の階調補正を有効化、無効化、もしくは自動判断することを設定することができ、中間階調の多い画像では出力画像の品質を向上させ、画像文字主体の画像では生産性を低下させずに、最適な画像と生産性を実現した画像形成装置を提供することが可能となる。
【発明を実施するための最良の形態】
【００１９】
本発明の実施例として、図１のブロック図に示すような構成の、電子写真式の複写機に発明を摘要した場合の装置の制御について説明する。
【００２０】
図１は、本発明の実施例の画像形成装置における制御回路について簡単に示したブロック図である。１０１はＣＰＵであり、１０２で示したＲＯＭから本装置で制御を行うためのプログラム、ＬＣＤパネル１０６に表示されるデータ、コピーモードプログラム、キー入力検知プログラム、外部操作装置との通信プログラムなどを読み出し、本装置の制御を行う。
【００２１】
１０３はＲＡＭであり、ＣＰＵ１０１がＲＯＭから読み出したプログラムによって一時的に記憶しておくべきデータを記憶するものであり、ＣＰＵ１０１は必要に応じてＲＡＭ１０３にデータを記憶させたり、読み出したりしている。１０４はバックアップＲＡＭであり、本複写機の操作を行う上で設定された情報を、本複写機の電源を切断しても記録しておくことを可能にするためのもので、図示されないバックアップバッテリによって電源供給されている。
【００２２】
１０５はＣＰＵ１０１の入出力ポートであり、ＣＰＵ１０１に接続される機器を介するものである。１０６は操作部上のＬＣＤパネルであり、各コピーモードや設定手順などを表示する。ＬＣＤパネル１０６は、タッチパネル式ＬＣＤパネルのＬＣＤ部も含むものである。１０７はキーであり、本複写機の操作を行うためのものである。１０８はネットワーク通信Ｉ／Ｆであり、有線もしくは無線を媒体とするネットワークに接続し、特定の通信規約（プロトコル）に基づいて、ネットワーク上の機器と画像データや制御情報の通信を行うためのものである。１０９はセンサであり、フォトダイオードやタクトスイッチや湿度センサなどによって構成され、センサの種類によってはＡ／Ｄコンバータ等を含んでおり、本複写機内の各種状態をモニタリングするものである。１１０はモータドライバであり、本複写内のステッピングモータおよび直流モータを駆動するためのものである。
【００２３】
図２に画像形成装置本体の概略図を示す。
【００２４】
３３５は原稿読取装置である。原稿読取装置３３５はＣＣＤ等の撮像素子と色分解フィルタを有するもので、不図示のモータにより撮像素子を往復走査させることで、原稿読取装置３３５上に設置された原稿の全面の画像を色分解された電気信号に変換する。原稿読取装置３３５により電気信号に変換された画像は、ＣＰＵ１０１にて必要な画像処理を施された後、プリンタ部に送出される。
【００２５】
３０１〜３０６はトナーユニットであり、それぞれ異なる色のトナーが装填されている。トナーユニット３０１〜３０６はそれぞれスクリューなどにより感光体ユニット３１３〜３１８にトナーを供給する仕組みになっている。本実施例に示すカラー画像形成装置においては、同一色相に分類される最大濃度のトナーと、一色以上の無色ではないトナー（以下、中間階調トナーと表記する）を用いる。トナーユニット３０６はブラックトナー、３０５はシアントナー、３０４はマゼンダトナー、３０３はイエロートナーが装填されている。また、トナーユニット３０２にはシアンの中間濃度トナー（以下、フォトシアンと表記する）、３０１にはマゼンダの中間濃度トナー（以下、フォトマゼンダと表記する）が装填されている。本実施例では、中間濃度のトナーは各色相の最大濃度のトナーの５０％の階調濃度に相当する色とする。中間濃度のトナーは、イエロー、マゼンダ、シアン、ブラックの各色相ごとに用意しても良いし、本実施例でマゼンダとシアンにそれぞれ１色しか用いなかったように、一部の色相のみに用いても良い。本複写機は以上の６色のトナーを混合して画像形成を行うことで、高画質を達成するものである。
【００２６】
３０７〜３１２は露光制御部であり、電気信号を光信号に変換し、さらに画像信号に従って変調を行い、感光体ユニット３１３〜３１８に照射する。各感光体ユニットは、感光体（ドラム）、帯電器、現像器およびクリーナなどによって構成される。この照射によって感光体ユニット３１３〜３１８の有する感光体ドラム上に生成された潜像は、感光体ユニット３１３〜３１８の有する現像器によって現像される。３１９は中間転写体であり、感光体ユニット３１３〜３１８によって現像されたトナー像は用紙に転写される前にまず中間転写体３１９に一次転写される。中間転写体３１９上のトナー像は、６色のトナーが載せられた状態で二次転写ローラ３２１まで搬送される。
【００２７】
本複写機の画像形成に用いられる用紙３３１は、用紙カセット３３２に保管されており、給紙ローラ３３３によって取り出され、給紙される。また、手差しトレイ３３４によって本複写機の使用者の任意の用紙を給紙することも可能である。給紙された用紙３３０は、二次転写ローラ３２１によって中間転写体３１９から６色のトナー像を転写される。用紙上に転写しきれずに中間転写体３１９上に残った残留トナーは中間転写体クリーナ３２２によって回収される。トナー像が転写された用紙は、定着器３２３および３２４に搬送されて加熱および加圧されることにより、６色のトナー像によるカラーの定着画像が形成される。
【００２８】
定着画像が形成された用紙は、片面印刷時は排紙部３２５もしくは３２６に搬送される。排紙部３２５と３２６のどちらに用紙が搬送されるかは、非図示のソレノイドによって駆動されるフラッパ３２７の向きによって決定される。両面印刷時においては、両面の画像形成が終了した用紙は片面印刷時と同じく排紙部３２５もしくは３２６に搬送されるが、片面のみ画像形成が終了した用紙は一度反転パス３２８に搬送され、スイッチバックして両面待機パス３３０に搬送される。反転時に定着器３２３および３２４側の搬送路と両面待機パス３３０側の搬送路のどちらに搬送されるかは、非図示のソレノイドによって駆動されるフラッパ３２９の向きによって決定される。両面待機パス３３０で待機している用紙は、適切なタイミングで再度２次転写ローラ３２１へと搬送され、裏面の画像形成が行われることとなる。
【００２９】
本実施例の画像形成装置のような多色トナーによる画像形成では、高画質なフルカラー画像を得るためには各色の画像濃度がそれぞれ適性かつ安定していることが要求される。したがって、前述した通常の画像形成モードの他に、各色の画像濃度を適正に設定するためのモード（以下、パッチ検知モードと表記する）を有している。
【００３０】
パッチ検知モード時には、感光体ユニット３１３〜３１８の有するドラム上にパッチ（一定面積を有するパターン）の静電潜像を形成し、これを現像した後、得られたパッチを中間転写体３１９上に転写し、転写により中間転写体３１９上に形成した各色それぞれのパッチを、中間転写体３１９の対向位置に設置した光学式センサ３２０によって付着トナー量を検出する（以下、パッチ検知と表記する）。このパッチ検知は、少なくとも各色トナーごとに行う。
【００３１】
光学式センサ３２０は、発光素子としてＬＥＤと、受光素子としてフォトダイオードを有するものであり、中間転写体３１９上にＬＥＤから光を照射し、フォトダイオードはその反射光を受光して反射光量を電気信号として検出する光学系にて構成されている。
【００３２】
本実施例に示すカラー画像形成装置は、最大濃度の濃トナー４色と、中間階調の淡トナー２色を用いている。このように、濃トナーと淡トナーを混合して画像形成を行う場合、淡トナーが濃トナーの５０％の階調濃度に相当するとすると、濃トナーと淡トナーの混合画像の階調特性が線形を示すようにした場合、画像データ値に対する濃トナーと淡トナーの混合比率は図３のようになる。
【００３３】
濃トナーと淡トナーを混合して画像形成を行う場合、パッチの形成を各色トナー行うだけだと、温度や湿度などの環境変動や経時変化による、各感光体や露光装置の特性のばらつきのため、図１３に示すように濃淡トナー混合形成画像の階調特性が線形とならず歪曲する。
【００３４】
このような濃淡トナー混合形成画像の階調特性の線形性を維持するために、各色相ごとに濃トナーと淡トナーを混合してパッチを形成してパッチ検知を行い、階調特性を補正する。
【００３５】
本実施例においては、同一色相に分類されるトナーの組み合わせとして、シアンとフォトシアン、マゼンダとフォトマゼンダを中間転写体３１９上に重ねて転写することにより混合し、光学センサ３２０によって同一色相の濃淡トナー混合パッチの濃度を検知を行うことにより、同一色相の濃淡トナーの混合形成画像に対における各トナー毎の階調特性を線形に補正し（以下、濃淡階調補正と表記する）、階調の線形性の向上させ高画質を実現するのである。なお、淡色トナーを用いず濃色トナーのみを用いる色相においては、この限りではない。
【００３６】
本複写機が前記濃淡階調補正を行うための濃淡トナー混合画像の階調測定手段として、全階調領域に渡って混合パッチを形成して階調測定する階調補正モードや、中間階調トナーに最大濃度のトナーの混合が開始される画像データ領域付近を重点的に混合パッチを形成して階調測定する画像補正モードを有する。
【００３７】
全階調領域に渡って混合パッチを形成するモードは、画像データ値を０〜２５５の範囲とする時に、図４の階調測定画像データ値テーブルに示すフル補正モードのように、１５，３１，４７・・・２２３，２３９，２５５のような所定間隔で最小濃度から最大濃度の画像データ値までの混合パッチを形成するモードである。このモードに依れば、処理時間はかかるが正確に濃淡階調測定を行うことが可能である。
【００３８】
中間階調トナーに最大濃度のトナーの混合が開始される画像データ領域付近を重点的に混合パッチを形成するモードは、画像データ値を０〜２５５の範囲で、淡色トナーが濃色トナーの５０％の階調濃度に相当する色である時に、図４の階調測定画像データ値テーブルに示す簡易補正モードのように１１１，１２７，１４３のような淡色トナーに濃色トナーの混合が始まる付近の画像データ値のみ、混合パッチを形成するモードである。このモードに依れば、正確性は劣るものの短時間で濃淡階調測定を行うことが可能である。
【００３９】
また、本複写機が前記濃淡階調補正を実現する手段は複数有り、各色トナーの画像形成を行う各感光体に固有の感度特性の補正テーブルを各色毎に補正を行うことで、前記混合画像の階調特性の補正処理を行う階調補正モードと、同一色相の濃淡トナーの混合比率を変更することで、前記濃淡階調補正を実現する階調補正モードを有する。
【００４０】
前記各感光体の固有感度特性補正テーブルの補正を行う階調補正モードは、各色トナーの感光体および露光装置ごとの、温度や湿度などの環境変動や経時劣化による特性のばらつきを補正する、階調補正テーブルの値を変更することで、画像データ値に対する出力画像の階調特性を補正する。このモードに依れば、画像処理情報を変更するのみなので処理が容易で時間もかからないが、各色トナーの感光体や露光装置に著しい環境変動が見られる場合に濃淡トナーの混合階調を線形に保つことができない。
【００４１】
また、濃淡トナーの混合比率を変更する階調補正モードは、各色トナーの感光体に対する露光装置や帯電装置や、感光体から中間転写体や用紙への転写装置などの、制御情報を変更し用紙への各色トナーの画像形成濃度を変更することで、画像データ値に対する出力画像の階調特性を補正する。このモードに依れば、各色トナーの感光体や露光装置に著しい環境変動でも階調補正を行うことが可能であるが、制御される露光装置や帯電装置、転写装置側を直接微調整する分、装置の構造や処理が複雑となり、また調整後の各装置が安定するのを待つ時間がかかるという欠点がある。
【００４２】
前述のように同一色相の複数のトナーの混合パッチを形成してパッチ検知を行い濃淡階調補正を行う画像形成装置の場合、混合パッチを形成する分、用紙への画像形成を開始するまでに時間がかかる。そのため、用紙に形成する画像に中間階調が僅少しか含まれない場合、この濃淡階調補正の為の混合パッチ形成時間が画像形成装置の使用者にとって無駄となる。
【００４３】
本発明を摘要した複写機は、使用者もしくは管理者が、濃淡階調補正を実施するか否かや、濃淡階調補正の実現方法を決定する画像補正モードを選択し、本複写機に設定することにより、中間階調が多く含まれる写真調画像においては混合パッチを形成して画質を向上させ、中間階調が僅少しか含まれない文字主体画像においては、処理時間の短い階調補正手段、もしくは混合パッチを形成しないことで生産性を向上させるために、以下の過程を実装している。
【００４４】
図５に示す４０１は本複写機の操作部の一例である。４０２は操作部４０１上のタッチパネル式ＬＣＤパネルであり、本複写機の動作状態ならびに使用者の行った動作指定、本複写機の設定などを表示する機能、ならびに使用者の操作入力機能を有するものである。
【００４５】
４０３はスタートボタンであり、使用者の行った動作指定に基づいて複写機の動作を開始するボタンである。４０４はストップボタンであり、動作中の複写機を停止させるボタンである。
【００４６】
４０５はテンキーであり、複写枚数を指定したり、各種設定数値を入力するためのボタンである。４０６はリセットボタンであり、複写設定を初期値に戻すためのキーである。４０８はガイドボタンであり、現在の状態における説明をタッチパネル式ＬＣＤパネル４０２に表示するためのキーである。
【００４７】
４０９はユーザモードボタンであり、使用者に適した設定を行うユーザモードに移行するためのボタンである。
【００４８】
図６に示す５０１は通常時にタッチパネル式ＬＣＤパネル４０２に表示される画面である。５０２は現在の状態を表示するメッセージである。５０３は原稿の拡大縮小に関する入力部であり、原稿の拡大、縮小を行うことが可能である。５０４は両面指定であり、原稿の両面印刷を指定するためのものである。５０５は用紙サイズ指定であり、出力する用紙のサイズを変更するためのものである。５０６，５０７，５０８は、出力濃度を設定するためのものであり、うすくボタン５０６をタッチすると一段階うすく、こくボタン５０８をタッチすると一段階濃くなり、自動ボタン５０７をタッチすると読み取った原稿から自動的に濃度を判断する。５０９，５１０，５１１は画像モードを変更するためのものであり、５０９をタッチすると高コントラストの文字原稿向けの文字モード、５１１をタッチすると中間階調の多い写真原稿向けの写真モード、５１０をタッチすると、文字原稿と写真原稿が混在している場合の文字写真モードに設定される。５１２は応用モードに移行するためのものであり、綴じ代、製本、ＯＨＰ中差しなどの印刷設定を行うことが出来る。
【００４９】
ユーザモードボタン４０９を押下すると、図７に示すユーザモードに移行する。６０１はユーザモード時にタッチパネル式ＬＣＤパネル４０２に表示される画面である。共通仕様設定６０３は、タッチパネル式ＬＣＤパネルに使用者が指でタッチした時にブザー音が鳴らすか否かや、用紙サイズのインチ入力の有効化、カセットの自動選択の有無、節電モード時の動作形態などを設定するモードに移行するものである。タイマー設定６０４は、現在時刻の設定や、スリープモード移行時間などを設定するモードに移行するためのものである。調整／クリーニング６０５は、ズームの微調整や、中綴じ位置の設定や、色ずれの調整、フィーダのクリーニング、ワイヤのクリーニングなどを行うモードに移行するためのものである。システム管理設定は、本複写機をネットワーク接続する際に摘要する通信規約（プロトコル）に関する設定を行うモードに移行するためのものである。コピー仕様設定は、複写動作を行う際に自動ソートを行うか否かや、写真モードを印画紙にプリントされている写真に適したモードとするか否か、リモートプリンタの登録、および前述の濃淡階調補正を行うか否かを設定するためのモードに移行するためのものである。
【００５０】
ユーザモードでコピー仕様設定を選択すると、図８に示すコピー仕様設定画面に移行する。７０１はコピー仕様設定モードの画面である。自動ソート７０２は本複写機にドキュメントフィーダやフィニッシャを接続した場合に、自動的にソートを行うか否かの設定を行うものである。印画紙写真モード７０３は、写真モードを、印画紙にプリントされている写真に適したモードするための設定を行うものであり、印画紙写真モードに設定した場合、写真モードボタン５１１は印画紙写真および印刷写真に表記が変更される。リモートプリンタ登録は、本複写機で読み取った原稿を、ネットワーク接続された別の複写機で出力するための設定を行うものであり、リモートコピーを行う出力先のネットワーク上での識別番号等を入力するものである。濃淡階調補正７０５は、前述の同一色相の最大濃度のトナーと中間階調トナーの混合パッチを形成して行う濃度補正を、行うか否かを設定するものである。コピーしようの初期化７０６は、使用者によって変更されたコピー仕様設定を工場出荷時の設定に戻すためのものである。閉じる７０７は、コピー仕様設定を終了するためのものである。
【００５１】
ユーザモードのコピー仕様設定画面７０１で濃淡階調補正７０５を選択すると、図９に示す濃淡階調補正画面８０１に移行する。
【００５２】
図９に示す濃淡階調補正画面８０１は、前述の同一色相の最大濃度のトナーと中間階調トナーの混合パッチを形成して行う濃度補正を、行うか否かに関して、詳細な設定を決定するものである。
【００５３】
"印刷時の濃淡階調補正"８０２は印刷時に前記補正を行うか否かの設定であり、"する"８０３を選択した場合、印刷時に濃淡階調補正を行い、"しない"８０４を選択した場合、印刷時に濃淡階調補正を全く行わない。このため、"しない"８０４を選択すると、"文字，写真モードに応じて濃淡階調補正を行う"８０５および"写真モード時の動作"８０８の項目はグレー表示され選択することが出来なくなり、設定は無効となる。
【００５４】
"文字，写真モードに応じて濃淡階調補正を行う"８０５は、操作画面５０１上で選択された文字モード、文字／写真モード、写真モードに従って濃淡階調補正を行うか否かを設定するためのものである。ただし、"印刷時の濃淡階調補正"８０２にて"いいえ"８０４を選択した場合、"文字／写真モードに応じて濃淡階調補正を行う"８０５無効となり、選択肢"する"８０６および"しない"８０７を選択できなくなる。
【００５５】
ここで"する"８０６を選択した場合、
操作画面５０１で文字モード５０９が選択された時には濃淡階調補正時の階調測定を特定画像データ領域のみ実施して濃淡階調補正を行い、
操作画面５０１で写真モード５１１が選択された時には濃淡階調補正時の階調測定を全画像データ領域に渡って実施して階調補正モードで濃淡階調補正を行い、
操作画面５０１で文字／写真モード５１０が選択された時には原稿読取装置から読み取った画像に含まれる中間階調データの比率から階調補正手段を自動判断する。
【００５６】
"しない"８０７を選択した場合、操作画面５０１で選択した文字モード５０９、文字／写真モード５１０、写真モード５１１のいずれかを選んだかに関わらず、最も短時間で実行できる階調補正モードで濃淡階調補正を行うことで、平均画像形成時間を短縮させる。
【００５７】
"写真モード時の動作"８０８は、本複写機の通常時の操作部５０１にて、写真モードを選択した状態、もしくは文字／写真モードを選択し原稿に中間階調が多量に含まれている状態でコピーを開始した場合に関する設定項目である。ただし、"印刷時の濃淡階調補正"８０２にて"いいえ"８０４を選択した場合、"写真モード時の動作"８０８は無効となり、選択肢"常に補正"８０９および"毎回確認"８１０を選択できなくなる。
【００５８】
"常に補正"８０９を選択した場合、操作部５０１にて写真モードを選択した状態、もしくは文字／写真モードを選択し原稿に中間階調が多量に含まれている状態でコピーを開始した際に、前記濃淡階調補正を行う画像補正モードのうち、最も濃淡階調特性を正確に補正できる画像補正モードで濃淡階調補正を行う。
【００５９】
"毎回確認"８１０を選択した場合、操作部５０１にて写真モードを選択した状態、もしくは文字／写真モードを選択し原稿に中間階調が多量に含まれている状態でコピーを開始した際に、その都度前記濃淡階調補正の実施形態を確認する階調補正確認画面９０１を表示し、その選択結果に従う。
【００６０】
"ＯＫ"８１１は、濃淡階調補正画面８０１を終了するものである。
【００６１】
図１０は、以上の画面遷移を示した図である。
【００６２】
図１１に示す９０１は階調補正の確認画面である。
【００６３】
階調補正確認画面９０１は、"写真モード時の動作"８０４において"毎回確認"８１０に設定している状態で、かつ本複写機の通常時の操作部５０１にて写真モードを選択した状態、もしくは文字／写真モードを選択し原稿に写真モードと識別される部分が含まれている状態で、操作部４０１にてスタートボタン４０４を押してコピーを開始した場合にタッチパネル式ＬＣＤパネル４０２に表示される。
【００６４】
ここで、"はい"９０２を選択すると、前記濃淡階調補正を行う画像補正モードのうち、最も濃淡階調特性を正確に補正できる画像補正モードで濃淡階調補正を行う。
【００６５】
"いいえ"９０３を選択すると、前記濃淡階調補正を行う画像補正モードのうち、最も短時間で実行できる画像補正モードで濃淡階調補正を行う。
【００６６】
階調補正確認画面９０１における選択結果は、"文字，写真モードに応じて濃淡階調補正を行う"８０５の選択結果より優先される。
【００６７】
本複写機は、前記濃淡階調補正画面８０１で選択された結果をバックアップＲＡＭ１０４に記録し、一度電源が切断されても選択結果が維持されるようになっている。本実施形態では、"印刷時の濃淡階調補正"８０２の設定内容と、"原稿内容から補正の有無を自動判別"８０３の設定内容、および"写真モード時の動作"８０４の設定内容が、バックアップＲＡＭ１０４に記録され、本複写機の電源が一度切断された後の再起動時は、バックアップＲＡＭ１０４から前記設定内容を読み出す。
【００６８】
これら設定によって、本複写機で画像形成を行う場合に、前記階調補正動作の実施形態を選択する機構を提供する。
【００６９】
本複写機は、有線もしくは無線を媒体とするネットワークを介して、ネットワーク上の機器と画像データや制御情報の通信を行う機能を有しているものも含んでいる。前記ネットワーク上に接続された電子情報機器の一例として、本複写機に対して画像データを送信し画像出力を行うことが可能な電子計算機（以下、コンピュータと表記する）を挙げる。前記コンピュータはＬＣＤパネルやＣＲＴディスプレイを持ち、送信する画像と本複写機の設定画面を表示することもできるものである。コンピュータには、机上や床上に設置するコンピュータ以外に、ノートブック型コンピュータや携帯情報端末、ならびにネットワーク接続機能を持つ電気電子製品、映像機器を含むものとする。
【００７０】
本複写機に前記ネットワークを介して接続されたコンピュータは、コンピュータ内の画像データを本複写機に適する形に変換して送信して印刷したり、コンピュータ上から画像データを送信して印刷する際の各種印刷指定を行うソフトウェアとして、プリンタドライバを用いる。
【００７１】
図１２に示す１００１は、前記プリンタドライバソフトウェアにおける、本複写機への印刷画像データ送信時の詳細設定画面である。１００２は本複写機で画像形成を行う対象の用紙が格納されている給紙カセットの選択部である。１００３は本複写機で画像形成を行う際の用紙の向きの指定部である。１００４は、本複写機で画像形成を行う際に両面印刷を行うか否かの指定部である。１００５は、本複写機で画像形成を行う場合の解像度であり、３００ｄｐｉ，６００ｄｐｉ，１２００ｄｐｉを選択可能である。
【００７２】
１００６は、前述した濃淡階調補正を行うか否かを指定する選択部である。濃淡階調補正選択部１００６では、”する”１００７、”しない”１００８、”自動判別”１００９、”毎回確認”１０１０が選択可能になっている。
【００７３】
”する”１００７を選択した場合、本複写機は前記濃淡階調補正動作を行う。
【００７４】
”しない”１００８を選択した場合、本複写機は前記濃淡階調補正動作を行わない。
【００７５】
”自動判別”１００９を選択した場合、本複写機側の有するＣＰＵ１０１もしくはコンピュータ上のプリンタドライバソフトウェアが、コンピュータから送信される印刷画像データに含まれる中間階調の比率をもとに前記階調補正動作を行うか否かを決定する。
【００７６】
”毎回確認”１０１０が選択された場合、本複写機への印刷データを送信する直前に前記階調補正動作を行うか否かをコンピュータの使用者に確認するための選択画面を、コンピュータの有するＬＣＤもしくはＣＲＴディスプレイに表示し、コンピュータの使用者に選択させる。この階調補正動作の選択画面は、複写機側のタッチパネル式ＬＣＤディスプレイ４０２に表示される濃淡階調補正画面８０１に準ずるものである。
【００７７】
”決定”１０１１は、画面１００１上で設定した内容を有効化させる機能を有するものである。”取消”１０１２は、画面１００１上で設定した内容を反映させずプリンタドライバソフトウェアを終了させるものである。
【００７８】
本実施例では、プリンタドライバソフトウェアによる設定画面１００１では、前記濃淡階調補正動作を行うか、行わないかの設定のみ用意したが、複写機側のタッチパネル式ＬＣＤディスプレイ４０２に表示される濃淡階調補正画面８０１のように、前記濃淡階調補正を行う画像補正モードを選択する項目を設けても良い。
【００７９】
前記コンピュータは、プリンタドライバソフトウェアにおける設定を、磁気ディスク装置や不揮発性メモリなどの、不揮発性記憶装置に保存しておき、前記コンピュータの電源が切断されたとしても、再び同じ設定で本複写機への印刷を実行できる機能を有している。
【００８０】
これらの前記設定によって、ネットワークを介して接続された電子情報機器から本複写機に対して画像を送信して画像形成を行う場合でも、前記階調補正動作の実施か否かを選択する機構を提供するものである。
【図面の簡単な説明】
【００８１】
【図１】本発明の画像形成装置に備えられた制御部の構成概略を示すブロック図である。
【図２】本発明の実施形態の画像形成装置の概略構成を示す図である。
【図３】本発明の実施形態の画像形成装置における、濃色トナーと淡色トナーの混合比率を示す図である。
【図４】本発明の実施形態の画像形成装置における、階調測定時の画像データ値を示す表である。
【図５】本発明の実施形態の操作部を示す図である。
【図６】本発明の実施形態の表示画面の一例を示す図である。
【図７】本発明の実施形態の表示画面の一例を示す図である。
【図８】本発明の実施形態の表示画面の一例を示す図である。
【図９】本発明の実施形態の表示画面の一例を示す図である。
【図１０】本発明の濃淡階調補正設定の画面遷移を示す図である。
【図１１】本発明の実施形態の表示画面の一例を示す図である。
【図１２】本発明の実施形態の表示画面の一例を示す図である。
【図１３】本発明の実施形態の画像形成装置における、出力形成画像の階調特性を示す図である。
【図１】
2006243346.tif 000003
【図２】
2006243346.tif 000004
【図３】
2006243346.tif 000005
【図４】
2006243346.tif 000006
【図５】
2006243346.tif 000007
【図６】
2006243346.tif 000008
【図７】
2006243346.tif 000009
【図８】
2006243346.tif 000010
【図９】
2006243346.tif 000011
【図１０】
2006243346.tif 000012
【図１１】
2006243346.tif 000013
【図１２】
2006243346.tif 000014
【図１３】
2006243346.tif 000015